(57)【要約】【課題】従来、スタンプラリーのチェックポイントは、開始前に応募台紙・スタンプを設置するため、雨風を避けられ、かつ多数参加者用の場所が必要などから選定が困難で、スタンプラリー実施不可の場合が発生する。【解決手段】スタンプラリー参加者によるスタンプの発行依頼と、集めたスタンプが規定数に達したら応募データを作成し発信する携帯電話と、スタンプ発行依頼を受信して、携帯電話と通信中の基地局を特定し、該基地局の基地局位置情報から携帯電話位置情報を計算し、該携帯電話位置情報が所定のチェックポイントであれば、携帯電話位置情報・現在時刻情報及び電子署名を行いスタンプを作成して携帯電話に送信するスタンプ代行発行サーバと、携帯電話からの応募データを受信し、該応募データに含まれるスタンプの署名・位置情報・時刻を検証するスタンプラリー応募受付サーバとを備える。【選択図】　　　　図３
2004139193.tif 000002
【特許請求の範囲】
【請求項１】
スタンプラリー参加者の操作によりスタンプの発行依頼と、集めたスタンプが規定数に達したら応募データを作成し発信する携帯電話からのスタンプ発行依頼を受信して、上記携帯電話と通信中の基地局を特定し、該基地局の基地局位置情報を取得して、基地局位置情報から携帯電話位置情報を計算し、該携帯電話位置情報が所定のチェックポイントであれば、携帯電話位置情報・現在時刻情報及び電子署名を行いスタンプを作成し、該スタンプを携帯電話に送信するスタンプ代行発行サーバと、
携帯電話からの応募データを受信し、該応募データに含まれるスタンプの署名・位置情報・時刻を検証するスタンプラリー応募受付サーバと
を備えたスタンプラリーシステム。
【請求項２】
スタンプ代行発行サーバは携帯電話位置情報の算出に特定基地局とその基地局の近隣の他基地局の基地局位置情報を用いることを特徴とする請求項１記載のスタンプラリーシステム。
【請求項３】
携帯電話に対してスタンプラリーキャンペーン告知広告を送信するキャンペーン告知サーバを備えたことを特徴とする請求項１又は２に記載のスタンプラリーシステム。
【発明の詳細な説明】
【０００１】
【発明の属する技術分野】
この発明は、携帯電話を利用したスタンプラリーシステムに関するものである。
【０００２】
【従来の技術】
従来の販売促進の方法の一つとして、スタンプラリーによって製品・サービスの認知度の向上、および販売額の向上を図る方法が一般に知られている。スタンプラリーでは、製品・サービスを提供する会社がスタンプラリー主催者となり、スタンプラリーの全チェックポイントに応募台紙・スタンプを設置し、別途雑誌広告や電車内の吊り広告などの手段でキャンペーンの告知を行う。スタンプラリーの参加者は、いずれか一つのチェックポイントで応募台紙を取得し、規定数以上のチェックポイントを回って応募台紙にスタンプを押した後、その応募台紙をスタンプラリー主催者に提出する事により、スタンプラリーに参加していた。
【０００３】
また、特開２００２−７７４６４号公報では、携帯端末を保持する利用者の氏名や趣味などの個人情報を元に、広告を通知する携帯端末を選別し、効率よく広告配信を行う技術が述べられている。図１３がこの従来技術の構成である。広告情報管理サーバ１３４は、広告提供者端末１３５に格納された広告および配布条件を取得する。そして、広告提供者端末１３５から取得した配布条件と、広告情報管理サーバ１３４内で保持する利用者情報を比較する事により、広告を配信する携帯端末を特定し、該当する携帯端末１３１に対して広告を配信する。
【０００４】
この方式をスタンプラリーに適用する場合、スタンプラリーに興味がある利用者に対して効率的に告知を行う事は可能である。しかし、携帯電話利用者の位置情報を用いたスタンプラリー告知を行う事は可能であるが、ある特定時刻における携帯電話利用者の位置を保証する事はできない。そのため、電子的にスタンプを発行する事ができないため、スタンプラリーの全チェックポイントに応募台紙・スタンプを設置する必要がある。
【０００５】
【特許文献１】
特開２００２−７７４６４号公報（第５頁、図１）
【０００６】
【発明が解決しようとする課題】
上記従来のスタンプラリーでは、スタンプラリーの開始前に、全てのチェックポイントに対して応募台紙・スタンプを設置しなければならない。しかし、応募台紙・スタンプは、雨風を避けられる場所に設置しなければならない事や、大勢の参加者が訪れる事が可能な広いスペースを提供可能でなければならない事などから、チェックポイントの選定が困難であり、スタンプラリーの実施ができない場合が発生するという問題点があった。
【０００７】
この発明は上記のような問題点を解決するためになされたもので、携帯電話会社が、ある時刻の携帯電話の位置を証明するスタンプを発行する事により、スタンプラリー主催者がチェックポイントに応募台紙・スタンプを準備することなく、スタンプラリーを実現する事を目的とする。
【０００８】
【課題を解決するための手段】
この発明に係るスタンプラリーシステムは、スタンプラリー応募者の操作によりスタンプの発行依頼と、集めたスタンプが規定数に達したら応募データを作成し発信する携帯電話からのスタンプ発行依頼を受信して、携帯電話と通信中の基地局を特定し、該基地局の基地局位置情報を取得して、基地局位置情報から携帯電話位置情報を計算し、該携帯電話位置情報が所定のチェックポイントであれば、携帯電話位置情報・現在時刻情報及び電子署名を行いスタンプを作成し、該スタンプを携帯電話に送信するスタンプ代行発行サーバと、
携帯電話からの応募データを受信し、該応募データに含まれるスタンプの署名・位置情報・時刻を検証するスタンプラリー応募受付サーバとを備える。
【０００９】
【発明の実施の形態】
実施の形態１．
図１はこの発明の販売促進システムを用いる場合の、実施の形態に登場する組織・人物の関係、大まかな処理の流れを示す構成図である。
図において、１０１はスタンプラリーを実施する一般会社、１０２は一般会社１０１からの要求に応じて携帯電話に広告を配信し、かつ携帯電話利用者からの要求に応じてスタンプを発行するシステムを保有する携帯電話会社、１０３はスタンプラリーに参加する参加者で携帯電話を保有する人である。
【００１０】
始めに、一般会社１０１は、携帯電話会社１０２に対して、スタンプラリーのキャンペーン広告配信およびスタンプ代行発行の手数料を支払う（図１の１）。この時、一般会社１０１はキャンペーン広告内容と、スタンプラリーのチェックポイントの情報を携帯電話会社１０２に通知する。携帯電話会社１０２は、自社のシステムに、一般会社１０１のキャンペーン内容とチェックポイント情報を登録する。
【００１１】
携帯電話会社１０２は、一般会社１０１からの依頼に応じて、携帯電話用Ｗｅｂサイトのメニューに掲載して、携帯電話利用者１０３がキャンペーン広告を閲覧できるようにする（図１の２）。もしくは、携帯電話利用者１０３の許可がある場合は、キャンペーン広告を自動的に携帯電話利用者１０３に配信する。なお、一般会社１０１からキャンペーン広告の掲示や配信が不要と通知された場合、この手順は不要である。
【００１２】
携帯電話利用者１０３は、キャンペーン広告が指定するスタンプラリーのチェックポイントに到達した場合、携帯電話会社１０２が提供するスタンプ代行発行サービスに対して、スタンプラリー参加用のスタンプの発行を依頼する（図１の３）。
【００１３】
携帯電話会社１０２は、携帯電話利用者１０３のスタンプ発行依頼を受けたら、携帯電話が接続をしている基地局の位置情報および発行時刻（通常、作成時の現在時刻）に対して電子署名を行う事により、スタンプの発行を行う。そして、発行したスタンプを携帯電話利用者１０３に送付する（図１の４）。これにより、携帯電話利用者１０３は、チェックポイントに到達した事を証拠づけるスタンプを入手する事ができる。
なお、このスタンプは、携帯電話利用者１０３の位置情報と発行時刻が含まれ、かつ携帯電話会社１０２の署名が付加されているため偽造が不可能である事から、携帯電話利用者１０３がキャンペーン期間内に規定のチェックポイントに到達した事を保証する事ができる。
【００１４】
携帯電話利用者１０３は、キャンペーンで指定された規定数以上のチェックポイントにおいて、図１の手順３・４を行う事により、チェックポイントに到達した事を示すスタンプを収集する。規定数以上のスタンプが集まったら、そのスタンプを一般会社１０１に送付し、キャンペーンに応募を行う（図１の５）。
【００１５】
一般会社１０１は、携帯電話利用者１０３から受け取った応募に含まれる全スタンプに対して、携帯電話会社１０２の正しい署名が付加されているか、規定数以上のチェックポイントを回っているかを検証する。必要に応じて、キャンペーンの商品を携帯電話利用者１０３に送付する（図１の６）。
【００１６】
次に、図２を用いて、スタンプラリーを実現するためのシステムの構成について説明する。
スタンプラリーシステムは、携帯電話利用者が保有する携帯電話２０１、携帯電話会社がスタンプを発行するためのスタンプ代理発行サーバ２０２、各地に設置された基地局の位置情報が保存された基地局データベース２０３、一般会社が保有し、携帯電話利用者からのスタンプラリー応募を受け付けるためのスタンプラリー応募受付サーバ２０４、携帯電話に対してキャンペーン告知広告を送信するキャンペーン告知サーバ２０５、携帯電話サービス用の基地局２０６、携帯電話用の無線ネットワーク２０７、各基地局、スタンプ代行発行サーバ、インターネットなどの公衆ネットワークを接続するための電話会社ネットワーク２０８、インターネットなどに代表される公衆ネットワーク２０９から構成される。
【００１７】
次に、図３、図４、図５に基づいて、スタンプラリーシステムの処理の流れについて詳細を説明する。
【００１８】
図４ステップＳ４０１において、キャンペーン告知サーバ２０５は、利用者が保有する携帯電話２０１にキャンペーン告知広告を送信する（図３の１）。これは、例えば、キャンペーン告知サーバ２０５が携帯電話メニューに図５画面１に示す画面を掲載し、携帯電話利用者１０３がメニューを選択する事により、キャンペーン内容の詳細が送信される事によって行われる。
【００１９】
このキャンペーン告知広告は、携帯電話メニューに登録する方法以外に、電子メールなどの手段によって携帯電話利用者１０３に通知する事も可能である。
【００２０】
図４ステップＳ４０２において、携帯電話利用者１０３は、図５画面２の様に表示された画面から、スタンプ発行の要求を行うメニューを選択する事により、スタンプ代行発行サーバ２０２に対してスタンプ作成要求を作成し送信する（図３の２）。
【００２１】
図４ステップＳ４０３において、携帯電話２０１からスタンプ作成要求を受け取ったスタンプ代行発行サーバ２０２は、携帯電話２０１と通信チャネルが確立している基地局２０６を特定し（図３の３）、図４ステップＳ４０４において、基地局データベース２０３から基地局位置情報を読み出す（図３の４）。この基地局位置情報は、例えば図６に示したような要素を持つ情報である。
【００２２】
図４ステップＳ４０５において、スタンプ代行発行サーバ２０２は、図４ステップＳ４０４で取得した基地局位置情報に含まれる基地局位置や電波受信感度から、スタンプに埋め込む携帯電話位置情報を計算する（図３の５）。
【００２３】
携帯電話位置情報の計算は、図４ステップＳ４０３で取得した基地局の情報だけでなく、その近辺に存在する１つ以上の他基地局に届く携帯電話の電波強度、および他基地局の位置情報も含めて計算する事も可能である。この場合、１つの基地局で携帯電話位置情報を計算するのに比べ、より精度の高い携帯電話位置情報の計算が可能である。
【００２４】
携帯電話位置情報の計算は、基地局位置情報に含まれる基地局位置からだけでなく、携帯電話利用者が参照しているキャンペーン広告の情報などを元に算出し、位置情報の精度を向上させる事も可能である。
【００２５】
図４ステップＳ４０６において、スタンプ代行発行サーバ２０２は、図４ステップＳ４０５で計算した携帯電話位置情報、現在時刻から算出した発行時刻情報に対して電子署名を行う事により、スタンプを作成する（図３の６）。スタンプのデータ構造は図７の様になる。このスタンプは、スタンプ代行発行サーバ２０２の電子署名が付加されているため、第三者によって偽造する事は不可能である。そのため、ある時刻における携帯電話２０１の位置を証明する情報として利用する事が可能である。
【００２６】
図７の例では、スタンプ内容データとして携帯電話位置情報と発行時刻情報を格納したが、図９の様にシリアル番号情報を含めたり、図１０の様に携帯電話利用者情報を含める事も可能である。図１１の様にシリアル番号・携帯電話利用者情報の両方を入れる事も可能である。シリアル番号を入れる事により、スタンプの２重使用が検出可能となる。携帯電話利用者情報を含める事により、スタンプの譲渡を検出する事ができる。
【００２７】
図７、図９、図１０、図１１の例では、スタンプ代行発行サーバが発行時刻情報を作成していたが、タイムスタンプサービスとして一般に知られているサービスを利用して、スタンプに時刻情報を含める事も可能である。
【００２８】
図４ステップＳ４０７において、スタンプ代行発行サーバ２０２は、図４ステップＳ４０６で作成したスタンプを携帯電話２０１に送信する（図３の７）。これを受け取った携帯電話２０１では、図５画面３の様な画面が表示され、スタンプを受け取った事が携帯電話利用者１０３に通知される。
【００２９】
図４ステップＳ４０８において、携帯電話利用者１０３は、規定数以上のスタンプが集まっていない場合、図４ステップＳ４０７でスタンプ受領後に表示される図５画面３にて“保存する”メニューを選択し、スタンプを携帯電話内に保存する。そして、キャンペーンで規定された他チェックポイントを周り、規定数以上のスタンプが集まるまで図４ステップＳ４０２〜Ｓ４０７を繰り返す。
【００３０】
図４ステップＳ４０９において、携帯電話利用者１０３は、規定数以上のスタンプが集まった場合、図４ステップＳ４０７でスタンプ受領後に表示される図５画面３にて“応募する”メニューを選択する。携帯電話２０１は、選択後に表示される図５画面４にて、携帯電話利用者１０３から応募に必要な情報の入力を受けた後、それらの情報と集めたスタンプ一式から図８に示すような構成の応募データを作成し、スタンプラリー応募受付サーバ２０４に送付する（図３の８）。
【００３１】
図８の例では、応募データに電子署名を施していないが、図１２の様に電子署名を行った署名付き応募データを作成しても良い。この場合、通信路上で応募データが改竄された場合、スタンプラリー応募受付サーバ２０４は改竄を検出する事が可能となる。
【００３２】
図４ステップＳ４１０において、スタンプラリー応募受付サーバ２０４は、受信した応募データに含まれるスタンプ一式を取り出し、それぞれのスタンプを検証する（図３の９）。検証内容は、１）スタンプに正しく電話会社の署名が付加されているかどうか、２）携帯電話位置情報が正しいチェックポイントの位置を示しているかどうか、３）規定のチェックポイントを回っているかどうか、４）規定期間内に発行されたスタンプかどうか、である。
【００３３】
受信したのが署名付き応募データであった場合、別途、署名付き応募データに付加されている署名の検証を行う必要がある。この検証により、署名付き応募データの内容が改竄されているかどうかを検証する事ができる。
【００３４】
さらに、署名付き応募データに含まれるスタンプが、利用者情報付きスタンプもしくはシリアル番号・利用者情報付きスタンプであった場合、応募データ署名者の情報と、スタンプに含まれる利用者情報を比較する事により、他利用者当てに発行されたスタンプを不正に利用していない事を検証する事ができる。
【００３５】
また、応募データもしくは署名付き応募データに含まれるスタンプがシリアル番号付きスタンプであった場合、今までに受領したスタンプのシリアル番号と付き合わせる事により、スタンプの二重使用を検出する事ができる。
【００３６】
本実施の形態では、スタンプラリー主催者である一般会社１０１がスタンプラリー応募受付サーバ２０４を保有しているとしたが、このスタンプラリー応募受付サーバ２０４は携帯電話会社１０２が保有し、一般会社１０１に代わってキャンペーン登録受付を行う事も可能である。
【００３７】
また、携帯電話のメニューに広告を表示する事ができるため、宣伝効果が上がるとともに、宣伝費用を節約する事ができる。その結果、スタンプラリーを実施する一般会社は、スタンプラリーの実施に必要なコストを大幅に削減する事ができる。
【００３８】
また、スタンプ代理発行サーバを管理する携帯電話会社は、スタンプラリーを実施する一般会社にスタンプ代理発行サーバを貸し与える対価として料金を得る事ができる。
【００３９】
また、スタンプ内容データにシリアル番号を含める事により、スタンプの２重使用が検出可能となる。
【００４０】
また、スタンプ内容データに携帯電話利用者情報を含める事により、スタンプの譲渡を検出する事ができる。
また、スタンプラリー主催者がスタンプラリーの実現コストを大幅に削減し、かつ、携帯電話会社がスタンプラリー主催者からスタンプ発行代行料を受け取る事によって利益を上げる仕組みも提供できる。
【００４１】
【発明の効果】
以上のように、スタンプ代理発行サーバが、携帯電話の位置情報を計算してスタンプを発行するようにしているので、各チェックポイントにスタンプや応募台紙を設置するなどの準備を行うことなく、スタンプラリーを実現することができる。
【００４２】
また、スタンプラリー参加者は、自分が保有する携帯電話１台で、複数のスタンプラリーのスタンプを管理する事が可能となるため利便性が向上する。そのため、スタンプラリー参加者の増加が見込める。
【００４３】
さらに、基地局位置から計算した携帯電話位置情報、スタンプ発行時刻に対して、スタンプ代行発行サーバの電子署名を付加することによりスタンプを作成しているため、第三者によってスタンプを偽造する事は不可能である。そのため、ある時刻における携帯電話の位置を証明する情報として利用する事が可能である。その結果、スタンプラリー応募受付サーバは、スタンプラリー参加者が、定められたチェックポイントを正しく回った事を検証する事が可能となる。
【図面の簡単な説明】
【図１】この発明によるスタンプラリーシステムの組織と人物の関係および大まかな処理の流れを示す構成図。
【図２】スタンプラリーシステムの構成図。
【図３】スタンプラリーシステム構成要素と大まかな処理の流れを示す構成図。
【図４】スタンプラリーシステムの処理流れ図。
【図５】携帯電話機の画面の説明図。
【図６】基地局位置情報の説明図。
【図７】スタンプの説明図。
【図８】応募データの説明図。
【図９】スタンプの他の例を示す説明図。
【図１０】スタンプの別な他の例を示す説明図。
【図１１】スタンプのさらに別な他の例を示す説明図。
【図１２】応募データの他の例を示す説明図。
【図１３】従来の技術で示したシステムの構成図
【符号の説明】
１０１：一般会社、１０２：携帯電話会社、１０３：携帯電話利用者、２０１：携帯電話、２０２：スタンプ代行発行サーバ、２０３：基地局データベース、２０４：スタンプラリー応募受付サーバ、２０５：キャンペーン告知サーバ、２０６：基地局、２０７：携帯電話用無線ネットワーク、２０８：電話会社ネットワーク、２０９公衆ネットワーク。
【図１】
2004139193.tif 000003
【図２】
2004139193.tif 000004
【図３】
2004139193.tif 000005
【図４】
2004139193.tif 000006
【図５】
2004139193.tif 000007
【図６】
2004139193.tif 000008
【図７】
2004139193.tif 000009
【図８】
2004139193.tif 000010
【図９】
2004139193.tif 000011
【図１０】
2004139193.tif 000012
【図１１】
2004139193.tif 000013
【図１２】
2004139193.tif 000014
【図１３】
2004139193.tif 000015